【手続補正書】
【提出日】平成15年12月8日(2003.12.8)
【手続補正１】
【補正対象書類名】明細書
【補正対象項目名】特許請求の範囲
【補正方法】変更
【補正の内容】
【特許請求の範囲】
【請求項１】
ガラス塊を連続して製造するガラス塊の製造装置において、
キャスト位置において溶融ガラスを連続して流下させる溶融ガラス供給手段と、
前記流下される溶融ガラスを受けてガラス塊に成形する複数個の成形型と、
前記複数の成形型を前記キャスト位置に対し順次搬入及び搬出させる成形型移送手段であって、第１の駆動信号に基づき、次の成形型が前記キャスト位置へ移動する所定量だけ駆動されるものと、
前記キャスト位置にある成形型を昇降させる成形型昇降手段であって、第２の駆動信号に基づき、前記キャスト位置の成形型を上昇させて前記流下する溶融ガラスの先端部を受け、その後、前記成形型を下降させて一定重量の溶融ガラスを該成形型で受け取るように駆動されるものと、
交互に前記第１及び第２の駆動信号を、それぞれ前記成形型移送手段及び前記成形型昇降手段に送出する制御手段であって、前記第１の駆動信号を送出したときに予め定められた時間の計測を開始するか又は前記成形型移送手段の該所定量の駆動が完了したことを示す信号を受信したときに前記第２の駆動信号を送出すると共に予め定められた時間の計測を開始し、前記予め定められた時間が経過したときに、次の第１の駆動信号を送出するようにしたものと、
を備えたガラス塊の製造装置。
【請求項２】
複数の成形型を移送手段により順次溶融ガラスのキャスト位置に移送し、該キャスト位置にある成形型を昇降手段により昇降させて、該成形型で流下する溶融ガラスから一定重量の溶融ガラスを受けて成形することにより、ガラス塊を連続して製造するガラス塊の製造装置における制御方法において、
前記移送手段の駆動を開始させる第１の駆動信号を送出し、これによって前記移送手段を次の成形型が前記キャスト位置へ移動する所定量だけ駆動させる工程と、
前記所定量の駆動が完了したときに、前記昇降手段の駆動を開始させる第２の駆動信号を送出し、これによって前記キャスト位置の成形型を上昇させて前記流下する溶融ガラスの先端部を受け、その後、前記成形型を下降させて一定重量の溶融ガラスを該成形型で受け取るようにする工程と、
予め定められた時間が経過したときに、前記移送手段の駆動を開始させる前記第１の駆動信号を送出し、これによって前記移送手段を次の成形型が前記キャスト位置へ移動する所定量だけ駆動させる工程とを備え、前記第１の駆動信号を送出したとき、又は前記所定量の駆動完了時に発生させた前記完了を示す信号を受信したときに前記予め定められた時間の計測を開始すること特徴とするガラス塊の製造装置における制御方法。
【請求項３】
制御手段による制御信号に基づいて、複数の成形型を移送手段により順次溶融ガラスのキャスト位置に移送し、該キャスト位置にある成形型を昇降手段により昇降させて、該成形型で流下する溶融ガラスから一定重量の溶融ガラスを受けて成形することにより、ガラス塊を連続して製造するガラス塊の製造方法において、
前記移送手段の駆動を開始させる第１の駆動信号を前記制御手段から送出する工程と、
前記第１の駆動信号に基づいて、前記移送手段を次の成形型が前記キャスト位置へ移動する所定量だけ駆動させる工程と、
前記制御手段が、前記所定量の駆動が完了したときに、前記昇降手段の駆動を開始させる第２の駆動信号を送出する工程と、
前記第２の駆動信号に基づいて、前記昇降手段を駆動して、前記キャスト位置の成形型を上昇させて前記流下する溶融ガラスの先端部を受け、その後、前記成形型を下降させて一定重量の溶融ガラスを該成形型で受け取るようにする工程と、
予め定められた時間が経過したときに、前記移送手段の駆動を開始させる
前記第１の駆動信号を前記制御手段から送出し、これによって前記移送手段を次の成形型が前記キャスト位置へ移動する所定量だけ駆動させる工程とを備え、
前記第１の駆動信号を送出したとき、又は前記所定量の駆動完了時に発生させた前記完了を示す信号を受信したときに前記予め定められた時間の計測を開始すること特徴とするガラス塊の製造方法。
【請求項４】
溶融ガラスを一定の流下速度で連続して流下させ、前記予め定められた時間を前記ガラス塊の重量を前記溶融ガラスの流下速度で除した値に設定するとともに、前記第１の駆動信号を送出したときに該予め定められた時間の計測を開始することを特徴とする請求項３に記載のガラス塊の製造方法。
【請求項５】
前記予め定められた時間が、２５０〜７５０ｍ秒である請求項４に記載のガラス塊の製造方法。
【請求項６】
制御手段による制御信号に基づいて、複数の成形型を移送手段により順次溶融ガラスのキャスト位置に移送し、該キャスト位置にある成形型を昇降手段により昇降させて、該成形型で流下する溶融ガラスから一定重量の溶融ガラスを受けて成形することにより、ガラス塊を連続して製造するガラス塊の製造方法において、
前記キャスト位置への成形型の搬入開始から搬出開始までの時間を２５０〜７５０ｍ秒に設定し、重量精度±５％以内のガラス塊を成形することを特徴とするガラス塊の製造方法。
【請求項７】
前記ガラス塊が、精密プレス成形素材である請求項３〜６のいずれかに記載のガラス塊の製造方法。
【請求項８】
請求項３〜７のいずれかに記載のガラス塊の製造方法により作られたガラス塊を、その粘度が１０4〜１０6ポアズを示す温度にまで大気雰囲気中で再加熱する工程と、
前記再加熱されたガラス塊をプレス成形してガラス成形品を得る工程と、
を備えたガラス成形品の製造方法。
【請求項９】
請求項８に記載のガラス成形品の製造方法により、光学素子に近似する形状を有するガラス成形品を製造する工程と、
前記製造されたガラス成形品を研削、研磨して目的の光学素子を得る工程と、を備えた光学素子の製造方法。
【請求項１０】
請求項７に記載のガラス塊の製造方法により製造した精密プレス成形素材を再加熱し、精密プレス成形することによって光学素子を得る光学素子の製造方法。
【手続補正２】
【補正対象書類名】明細書
【補正対象項目名】００１４
【補正方法】変更
【補正の内容】
【００１４】
本発明はまた、複数の成形型を移送手段により順次溶融ガラスのキャスト位置に移送し、該キャスト位置にある成形型を昇降手段により昇降させて、該成形型で流下する溶融ガラスから一定重量の溶融ガラスを受けて成形することにより、ガラス塊を連続して製造するガラス塊の製造装置における制御方法に関する。本発明の制御方法は、前記移送手段の駆動を開始させる第１の駆動信号を送出し、これによって前記移送手段を次の成形型が前記キャスト位置へ移動する所定量だけ駆動させる工程と、前記所定量の駆動が完了したときに、前記昇降手段の駆動を開始させる第２の駆動信号を送出し、これによって前記キャスト位置の成形型を上昇させて前記流下する溶融ガラスの先端部を受け、その後、前記成形型を下降させて一定重量の溶融ガラスを該成形型で受け取るようにする工程と、前記予め定められた時間が経過したときに、前記移送手段の駆動を開始させる前記第１の駆動信号を送出し、これによって前記移送手段を次の成形型が前記キャスト位置へ移動する所定量だけ駆動させる工程とを備えて構成され、前記第１の駆動信号を送出したとき、又は前記所定量の駆動完了時に発生させた前記完了を示す信号を受信したときに前記予め定められた時間の計測を開始すること特徴とするものである。


【手続補正３】
【補正対象書類名】明細書
【補正対象項目名】００１５
【補正方法】変更
【補正の内容】
【００１５】
本発明は更に、制御手段による制御信号に基づいて、複数の成形型を移送手段により順次溶融ガラスのキャスト位置に移送し、該キャスト位置にある成形型を昇降手段により昇降させて、該成形型で流下する溶融ガラスから一定重量の溶融ガラスを受けて成形することにより、ガラス塊を連続して製造するガラス塊の製造方法に関する。本発明の製造方法は、前記移送手段の駆動を開始させる第１の駆動信号を前記制御手段から送出する工程と、前記第１の駆動信号に基づいて、前記移送手段を次の成形型が前記キャスト位置へ移動する所定量だけ駆動させる工程と、前記制御手段が前記所定量の駆動が完了したときに、前記昇降手段の駆動を開始させる第２の駆動信号を送出する工程と、前記第２の駆動信号に基づいて、前記昇降手段を駆動して、前記キャスト位置の成形型を上昇させて前記流下する溶融ガラスの先端部を受け、その後、前記成形型を下降させて一定重量の溶融ガラスを該成形型で受け取るようにする工程と、前記予め定められた時間が経過したときに、前記移送手段の駆動を開始させる前記第１の駆動信号を前記制御手段から送出し、これによって前記移送手段を次の成形型が前記キャスト位置へ移動する所定量だけ駆動させる工程とを備えて構成され、前記第１の駆動信号を送出したとき、又は前記所定量の駆動完了時に発生させた前記完了を示す信号を受信したときに前記予め定められた時間の計測を開始すること特徴とするものである。


【手続補正４】
【補正対象書類名】明細書
【補正対象項目名】００１６
【補正方法】変更
【補正の内容】
【００１６】
第１の駆動信号を送出したときに前記計測を開始する場合、溶融ガラス供給手段を溶融ガラスを一定の流下速度で連続して流下させるようにし、前記予め定められた時間を、ガラス塊の重量を溶融ガラスの流下速度で除した値（割った値）に設定することが好ましい。この場合において、前記予め定められた時間を２５０〜７５０ｍ秒とするのが好ましい。なお、前記完了を示す信号を受信したときに前記計測を開始する場合において、前記予め定められた時間が、前記第２の駆動信号の送出が開始されてから前記成形型上に一定重量の溶融ガラスが受け取られるまでに要する時間として定められたものであることが好ましい。
【手続補正５】
【補正対象書類名】明細書
【補正対象項目名】００１７
【補正方法】変更
【補正の内容】
【００１７】
本発明は、更に、制御手段による制御信号に基づいて、複数の成形型を移送手段により順次溶融ガラスのキャスト位置に移送し、該キャスト位置にある成形型を昇降手段により昇降させて、該成形型で流下する溶融ガラスから一定重量の溶融ガラスを受けて成形することにより、ガラス塊を連続して製造するガラス塊の製造方法において、前記キャスト位置への成形型の搬入開始から搬出開始までの時間を２５０〜７５０ｍ秒に設定し、重量精度±５％以内のガラス塊を成形するガラス塊の製造方法を提供する。
【手続補正６】
【補正対象書類名】明細書
【補正対象項目名】００１９
【補正方法】変更
【補正の内容】
【００１９】
更に、本発明は、前記記載のガラス成形品の製造方法により、光学素子に近似する形状を有するガラス成形品を製造する工程と、前記製造されたガラス成形品を研削、研磨して目的の光学素子を得る工程とを備えた光学素子の製造方法を提供する。また、前記精密プレス成形素材を再加熱し、精密プレス成形することによって光学素子を得る光学素子の製造方法を提供する。